(57)【特許請求の範囲】
【請求項１】
サムターンダルマ５及びシリンダーダルマ７を室内外からそれぞれ回転させると、デッドボルト３がフロント２からそれぞれ突出する錠前Ｘの信号取出し機構Ｙにおいて、前記サムターンダルマ５及びシリンダーダルマ７を互いに対面状態に組み合わせ、これらのダルマ５，７に形成されたサムターン係合歯２１及びシリンダー係合歯２５にそれぞれ噛合する制御歯車９を横軸２８に設け、この制御歯車９の制御指部３０と係合する係合突部３１を有する出力部材１０を前記横軸２８に設け、この出力部材１０の外周壁３４ａと対向可能なスイッチ１１を錠箱１内に配設し、サムターンダルマ５を介して制御歯車が所定量回転しても、出力部材１０はサムターンダルマ５に連動せず、一方、シリンダーダルマ７を介して制御歯車が所定量回転すると、出力部材１０はサムターンダルマ５に連動回転してスイッチ１１をＯＮの状態にすることを特徴とする錠前の信号取出し機構。
【請求項２】
請求項１に於いて、スイッチ１１は可動接片１１ａを有し、一方、出力部材１０の外周壁３４ａには、前記可動接片１１ａに対して押圧可能なスイッチ駆動部３５が突設されていることを特徴とする錠前の信号取出し機構。
【請求項３】
請求項１に於いて、制御歯車９の制御指部３０はＣ字型状に形成され、一方、出力部材１０の係合突部３１は爪状に形成されていることを特徴とする錠前の信号取出し機構。
【請求項４】
請求項１に於いて、サムターンダルマ５のサムターン係合歯２１は、シリンダーダルマ７のシリンダー係合歯２５よりも少ないことを特徴とする錠前の信号取出し機構。
【請求項５】
請求項１に於いて、サムターンダルマ５は周方向にガイド孔１６を有し、このガイド孔１６にはシリンダーダルマ７に突設した係合ピン２６が係合していることを特徴とする錠前の信号取出し機構。
【発明の詳細な説明】
【０００１】
【発明の属する技術分野】
本発明は錠前の信号取出し機構に関し、特に外出確認用本締錠と称される錠前の信号取出し機構に適合する。
【０００２】
【従来の技術】
普通一般に、サムターンダルマ及びシリンダーダルマを室内外からそれぞれ回転させると、デッドボルトがフロントからそれぞれ突出する錠前が普及している。この種の錠前は、施錠用のデッドボルトの他に仮止め用のラッチがそれぞれ設けられている。
【０００３】
従来、この種の錠前と、外出又は在室を判別するための信号取出し機構を有する「キースッチ」と称される装置とは別体のものが多い。もちろん、デッドボルト及びラッチを有する錠前に信号取出し機構を設ける考え方もある。
【０００４】
しかし、前者は外出の際に、まず普通一般の錠前に合鍵を差し込んでシリンダーダルマを施錠方向に回し、次にキースッチのキー穴にキーを差し込み、スイッチをＯＮの状態にする必要があるので、操作上二度手間となり、いわゆる面倒である。もちろん、取付け作業に時間がかかる等の問題点もある。一方、後者は各部材を合理的に組み合わせるのが容易でない。しかし、現在、普通一般の錠前にも適用可能である錠前の信号取出し機構の出現が要望されている。
【０００５】
【発明が解決しようとする課題】
本発明は以上のような従来の要望点に鑑み、第１の目的は、普通一般に使用されている錠前の機構において、外出の際に合鍵でシリンダーダルマを所定の位置まで施錠方向へと回した際に、デッドボルトがフロントから突出して施錠状態になると共に、外出確認用の信号を取り出すことができる信号取出し機構のスイッチが同時にＯＮの状態になることである。これによって、例えば操作の利便性を向上させることができる。第２の目的は、室内側からサムターンダルマを施錠方向へと回転しても、出力部材がそれに連動しないことである。第３の目的は、部品点数を少なくし、錠箱内の有効スペースを合理的に活用することである。つまり、各部材を合理的に組み合わせることを目的としている。
【０００６】
【課題を解決するための手段】
本発明は、サムターンダルマ５及びシリンダーダルマ７を室内外からそれぞれ回転させると、デッドボルト３がフロント２からそれぞれ突出する錠前Ｘの信号取出し機構Ｙにおいて、前記サムターンダルマ５及びシリンダーダルマ７を互いに対面状態に組み合わせ、これらのダルマ５，７に形成されたサムターン係合歯２１及びシリンダー係合歯２５にそれぞれ噛合する制御歯車９を横軸２８に設け、この制御歯車９の制御指部３０と係合する係合突部３１を有する出力部材１０を前記横軸２８に設け、この出力部材１０の外周壁３４ａと対向可能なスイッチ１１を錠箱１内に配設し、サムターンダルマ５を介して制御歯車が所定量回転しても、出力部材１０はサムターンダルマ５に連動せず、一方、シリンダーダルマ７を介して制御歯車が所定量回転すると、出力部材１０はサムターンダルマ５に連動回転してスイッチ１１をＯＮの状態にすることを特徴とする。
【０００７】
【発明の実施の形態】
図１は、本発明の実施形態の一例を「サムターン側」から概略的に示す。まず説明の便宜上、図１を基準に発明の実施形態の環境を説明する。１は錠箱、２はフロント、３はデッドボルト、４はラッチである。本発明の錠前Ｘは、普通一般の錠前と同様に、外から戻って来てサムターンを回転すると、サムターンダルマ５が反時計方向へと回り、デッドボルト３がフロント２から突出する（いわゆる施錠状態）。また前記サムターンダルマ５は、図示しない合鍵をシリンダーダルマ側からサムターンダルマ５の中心孔６へと差し込み、かつ、合鍵を回転操作すると、内側からサムターンを操作した場合と同様に前記デッドボルト３がフロント２から突出して施錠状態となる。普通一般にサムターンの操作は、室内側から行うので、室内側から見た図１を基準にすると、サムターンダルマ５は施錠の際には反時計方向へと回転する。
【０００８】
一方、サムターンダルマ５の向う側、つまり、室外側にはサムターンダルマ５に重なり合うように同軸上に摺動回転するシリンダーダルマ７（図５乃至図７参照）が設けられている。デッドボルト３は、シリンダーダルマ７に図示しない合鍵をダルマ孔８へと差込み、かつ、シリンダーダルマ７を時計方向へ回転すると、フロント２から突出する。
【０００９】
このように、錠前Ｘのデッドボルト３は、室内側からはサムターンダルマ５を反時計方向へ回転させることにより、一方、室外側からはシリンダーダルマ７を時計方向へ回転させることにより、フロント２から突出する。
【００１０】
さて、本発明の錠前の信号取出し機構Ｙは、前記普通一般の錠前Ｘにおいて、錠箱１に内装されたサムターンダルマ５、シリンダーダルマ７、これらのダルマ５，７に噛合う制御歯車９、スイッチをＯＮ／ＯＦＦさせるための出力部材１０、それにスイッチ（一例としてマイクロスイッチ）１１の組み合わせに特徴があるので、以下、これらの部材を中心に説明をする。
【００１１】
図２は、本発明の主要部である３つの部材を「サムターン側」から示した説明図である。本発明は施錠の際に合鍵でシリンダーダルマ７を所定の位置まで回転した場合にスイッチ１１がＯＮになるので、シリンダーダルマ７（室外）側から説明するべきであるが、発明の特徴部分が図面上良く（判り易く）現れないので、説明の便宜上、サムターン側から「サムターンダルマ５」、「シリンダーダルマ７」、「制御歯車９」、「出力部材１０」を斜視で示してある。そこで、これらの部材を順番に説明する。
【００１２】
まずサムターンダルマ５は、図１で示すように錠箱１内の左上隅角部寄りの部位に回動自在に設けられている。公知のようにサムターンダルマ５は、図示しないサムターンに連結され、前述した中心孔６を有する。
【００１３】
しかして、１５は円周方向に弧状ガイド孔１６を有する円盤状の係合板部で、この係合板部１５にはデッドボルト３の後端部に指向する（半径方向へ延びた）レバー部１７が連設している。レバー部１７の端部は、枢軸１８を介してデッドボルト３の後端部を貫通するデッドボルト用制御杆１９に連結されている。なお、デッドボルト用制御杆１９の下方には、デッドボルト用ロッキングバー２０が適宜に配設されている。
【００１４】
２１は係合板部１５の半円形状に突出する部位でかつ前記ガイド孔１６が位置する部位の外周部に突出形成されたサムターン係合歯２１である。このサムターン係合歯２１は、後述するシリンダーダルマ７のシリンダー係合歯２５よりもは歯数が少ない。また、サムターン係合歯２１は、本実施例ではシリンダーダルマ７の初期位置において制御歯車９と噛合わないようにレバー部１７寄りの外周部に形成されている。
【００１５】
２２は係合板部１５の一側面に突出形成された嵌合軸部で、この嵌合軸部２２の内部には、特に図示しないが後述のシリンダーダルマ７の円形嵌合凹所２７と同様の円形嵌合凹所が形成されている。サムターンダルマ５は、この嵌合軸部２２を中心に協働回転する。
【００１６】
次にシリンダーダルマ７は、サムターンダルマ５と対面するように錠箱１内に回動可能に設けられている。このシリンダーダルマ７は、普通一般に図しないシリンダー錠の内筒に連結されている。しかして、シリンダーダルマ７は、全体としてやや円盤状であるが、サムターンダルマ５と同様に半円形状に突出する部位２５ａの外周部の略全周にシリンダー係合歯２５を有する。そして、前記突出する部位２５ａの中央部には、サムターンダルマ５のガイド孔１６に常に係合する係合ピン２６が突設されている。したがって、サムターンダルマ５を回転すると、クラッチ機能を有する係合ピン２６を介し、シリンダーダルマ７は同期的に所定角度まで回転する。
【００１７】
２７は係合ピン２６を有する側から形成された円形嵌合凹所で、この円形嵌合凹所２７は、前述したダルマ孔８と連通している。なお、特に図示しないが、シリンダーダルマ７とサムターンダルマ５とは、互いにバラバラにならないように、組み合わせの際には、例えば前記円形嵌合凹所２７に筒状の嵌合体が組込まれる。
【００１８】
次に一個の制御歯車９は、図１で示すようにシリンダーダルマ７並びにサムターンダルマ５と錠箱１内の右上に固定的に配設されたスイッチ１１との間に横軸２８を介して回転自在に設けられている。この制御歯車９は、シリンダー係合歯２５及びサムターン係合歯２１の両者にそれぞれ噛合う。なお、図２では一個の制御歯車９の裏側と表側とがそれぞれ見えるように表している。制御歯車が２個ある意味ではない。
【００１９】
しかして、２９は制御歯車９のサムターン側の側壁に突出形成されたボス部である。一方３０は制御歯車９のシリンダー側の側壁に突出形成されたＣ字型形状の制御指部である。この制御指部３０は、次に説明する出力部材１０の切欠部に入り込み、かつ、係合突起３１と当接可能である。
【００２０】
出力部材１０は制御歯車９と同様に横軸２８を介して設けられている。制御歯車９と出力部材１０とは同軸上に互いに重なり合っている。前述したように、出力部材１０の軸孔３２を有する中心板部３３には、錠箱１の厚さ方向に突出しかつ半円形状よりもやや大きい弧状の肉厚囲い部３４が連設している。そして、前記弧状の肉厚囲い部３４の内径は、前述した制御指部２７を受け入れることが可能な寸法となっている。
【００２１】
しかして、前記係合突起３１は、弧状の肉厚囲い部３４によって形成された切欠部内に半径方向に向かって爪状に突出し、両側面３１ａ、３１ａは制御指部３０の両端面３０ａ、３０ａと選択的に係合可能である。
【００２２】
３５は弧状の肉厚囲い部３４の外周壁３４ａに突起状に形成されたスイッチ駆動部で、このスイッチ駆動部３５は、後述するようにサムターンダルマ５が初期位置から施錠方向へと回転してもスイッチ１１の可動片１１ａを押圧せず（図４参照）、一方、シリンダーダルマ７が初期位置から施錠方向へと回転した場合には、スイッチ１１の可動接片１１ａを押圧する（図７）。
【００２３】
そこで、図３及び図４を参照に、まずサムターンダルマ５を室内側から回しても、出力部材１０がサムターンダルマ５に連動しない場合について説明する。
【００２４】
図３はサムターン側から見た説明図である。この図は室内に入り、これからサムターンダルマ５を室内側から反時計方向へと回そうとする場合を示している。この時サムターンダルマ５のレバー部１７は、中心孔６よりも左側に位置している。またシリンダーダルマ７の係合ピン２６は、サムターンダルマ５のガイド孔１６の右側に位置している。またサムターンダルマ５のサムターン係合歯２１は制御歯車９に噛合していない。さらに、出力部材１０のスイッチ駆動部３５は、スイッチ１１の可動接片１１ａから離れている。したがって、スイッチ１１はＯＦＦの状態である。加えて、制御歯車９の制御指部３０の上方一端面３０ａが出力部材１０の係合突起３１の一側面３１ａから多少離れている。
【００２５】
そこで、図４で示すように施錠をするためにサムターンダルマ５を反時計方向へと回転すると、途中においてサムターンダルマ５のサムターン係合歯２１は制御歯車９に係合する。これにより制御歯車９は時計方向へと回り始める。そして、サムターンダルマ５をさらに所定角度まで回転すると、制御歯車９は所定位置で停止する。この場合デッドボルト３がフロント２から突出する。また制御歯車９の制御指部３０の上方一端面３０ａは、出力部材１０の係合突起３１の一側面３１ａと当接可能な位置まで回転移行するが、制御歯車９は必要以上に回転しないので、出力部材１０を時計方向へ回転させない。これは施錠状態において、サムターンダルマ５は制御歯車９と係合していないため（この点、シリンダーダルマ７と異なる。）、制御歯車９と係合し始める時期がシリンダーダルマ７よりも遅いからである。したがって、出力部材１０はサムターンダルマ５に連動せず、スイッチ１１はＯＦＦのままである。
【００２６】
次に図５乃至図７を参照に、シリンダーダルマ７を施錠方向へと回転した場合について説明する。シリンダーダルマ７を回転させた場合には、前記サムターンダルマ５の場合とは相違し、出力部材１０は制御歯車９を介して連動する。その結果、スイッチ１１はＯＮの状態になる。
【００２７】
図５はシリンダーダルマ７側から見た説明図である。この図は室外からシリンダーダルマ７を時計方向へと回そうとする場合を示している。この時サムターンダルマ５のレバー部１７の位置は、図３とは逆に現れるので、右側に位置している。またシリンダーダルマ７の係合ピン２６等は、図面上仮想線となる。
【００２８】
さて、図５は、これから外出しようとして解錠状態であるデッドボルト３をフロント２から突出させようとしている場合を示している。この場合シリンダーダルマ７のシリンダー係合歯２５は制御歯車９に噛合している。また図７で示すように制御歯車９の制御指部３０の上方一端面３０ａが出力部材１０の係合突起３１の一側面３１ａに係合している（図４との相違）。そして、出力部材１０のスイッチ駆動部３５は、スイッチ１１の可動接片１１ａから離れている。したがって、スイッチ１１はＯＦＦの状態である。
【００２９】
そこで、図６で示すように図示しない合鍵でシリンダーダルマ７を時計方向へと所定量回転すると、デッドボルト３はフロント２から突出すると共に、図７で示すように制御歯車９は反時計方向へと回転し、これにより出力部材１０は同方向に回転する。その結果、出力部材１０のスイッチ駆動部３５は、可動接片１１ａを押圧し、スイッチ１１はがＯＮの状態になる。つまり、施錠して外出すると、錠前の信号取出し機構Ｙのスイッチ１１はがＯＮとなり、これを「外出信号」として取り出すことが可能となる。
【００３０】
【実施例】
図２において、サムターンダルマ５は周方向にガイド孔１６を有し、このガイド孔１６にはシリンダーダルマ７に突設した係合ピンが係合しているが、サムターンダルマ５とシリンダーダルマ７との係合関係を任意に設計変更することができる。例えばシリンダーダルマ７にガイド孔を形成し、一方、サムターンダルマ５に前記ガイド孔に係合する係合ピンを設ける場合である。
【００３１】
また、スイッチ１１は可動接片１１ａを有し、一方、出力部材１０の外周壁３４ａには、前記可動接片１１ａに対して押圧可能なスイッチ駆動部３５が突設されているが、スイッチ１１はこれに限定するものではなく、例えば磁気感応型スイッチでも良い。したがって、前記可動接片１１ａや突起状のスイッチ駆動部３５は、本発明の特定要件ではない。
【００３２】
【発明の効果】
以上の説明から明らかなように、本発明にあっては、次に列挙するような作用・効果がある。
（１）普通一般に使用されている錠前の機構において、外出の際に合鍵でシリンダーダルマを所定の位置まで施錠方向へと回した際に、デッドボルトがフロントから突出して施錠状態になると共に、外出確認用の信号を取り出すことができる信号取出し機構のスイッチが同時にＯＮの状態になる。したがって、操作の利便性を向上、機器の削減化、取付け作業時間の短縮化などを図ることができる。
（２）室内側からサムターンダルマを施錠方向へと回転させても、出力部材がそれに連動しない。
（３）部品点数を少なくし、各部材を合理的に組み合わせたので、錠箱内の有効スペースを合理的に活用することができる。
【図面の簡単な説明】
図１乃至図７は本発明の一実施例を示す各説明図。
【図１】発明の実施形態の一例を示す概略説明図。
【図２】主要部材の分解斜視図。
【図３】解錠状態におけるサムターンダルマ側から見た概略説明図。
【図４】図３の状態において、サムターンダルマを施錠方向へと回転した場合の説明図。
【図５】解錠状態におけるシリンダーダルマ側から見た概略説明図。
【図６】施錠状態におけるシリンダーダルマ側から見た概略説明図。
【図７】図５において、シリンダーダルマを施錠方向へと回転した場合の説明図。
【符号の説明】
Ｘ…錠前、Ｙ…信号取出し機構、１…錠箱、２…フロント、３…デッドボルト、４…ラッチ、５…サムターンダルマ、６…中心孔、７…シリンダーダルマ、８…ダルマ孔、９…制御歯車、１０…出力部材、１１…スイッチ、１１ａ…可動接片、１５…係合板部、１６…ガイド孔、１７…レバー部、２１…サムターン係合歯、２５…シリンダー係合歯、２６…係合ピン、２７…円形嵌合凹所、２８…横軸、３０…制御指部、３１…係合突部、３５…スイッチ駆動部。
【図１】
0004198857.tif 000002
【図２】
0004198857.tif 000003
【図３】
0004198857.tif 000004
【図４】
0004198857.tif 000005
【図５】
0004198857.tif 000006
【図６】
0004198857.tif 000007
【図７】
0004198857.tif 000008